(57)【要約】【課題】錠部材から外枠作動体への動力伝達機構の構成の簡素化を図り、外枠作動体を容易に作動させることができるとともに、不正な移動を効果的に防止することができる遊技機における施錠装置を提供する。【解決手段】シリンダ錠２０の錠軸２１には第１ピニオン２２が軸着され、側板１８ｂには第１ピニオン２２と噛合する第１ラック３７が形成された第１外枠作動体３２及び外枠鉤用ピニオン２８、２９を介して回動可能に軸支されている外枠鉤２６、２７等が設けられている。第１外枠作動体３２の上下端には、外枠鉤用ピニオン２８、２９と噛合する外枠鉤用ラック４３、５０が形成された第２外枠作動体３８及び第３外枠作動体４４が装着されている。第１ピニオン２２が回動した際には、第１ラック３７のスライドに連動した各外枠鉤用ラック４３、５０のスライドによる外枠鉤用ピニオン２８、２９の回動に伴って各外枠鉤２６、２７が回動するようになっている。【選択図】      図１
2004222995.tif 000002
【特許請求の範囲】
【請求項１】
外枠と、遊技盤が保持されて外枠の前面に開閉可能に支持される前枠と、前枠の前面に開閉可能に支持されるガラス扉とから構成される遊技機の前記前枠に取着され、前枠を外枠に施錠するとともに、ガラス扉を前枠に施錠する遊技機における施錠装置であって、
前枠に固定される支持体には、前枠を外枠に施錠すべく当該外枠に係合する外枠鉤と、該外枠鉤の解錠操作を行う錠部材と、この錠部材による外枠の解錠操作を外枠鉤に伝達する外枠作動体とが設けられ、前記錠部材には解錠操作に伴い回動する第１ピニオンが取り付けられ、前記外枠作動体には、第１ピニオンに噛合する第１ラックが一体形成され、錠部材の外枠の解錠操作により第１ピニオンを回動させることによって、同第１ピニオンと第１ラックとの噛合により外枠作動体を作動させ、外枠鉤と外枠との係合を解除して外枠を解錠させるように構成したことを特徴とする遊技機における施錠装置。
【請求項２】
前記第１ピニオンの厚みを第１ラックの厚みよりも大きく形成し、第１ラックからの第１ピニオンの離脱を抑制するように構成した請求項１に記載の遊技機における施錠装置。
【請求項３】
前記支持体には第２ピニオンを介して外枠鉤が回動可能に軸支されるとともに、外枠作動体には第２ピニオンに噛合する第２ラックが一体形成され、前記錠部材の外枠の解錠操作により前記第１ピニオンを回動させることによって、外枠作動体を作動させるとともに、第２ラックとの噛合により第２ピニオンを回動させ、同第２ピニオンと連動して外枠鉤が外枠との係合の解除方向へ回動することにより外枠を解錠させるように構成した請求項１又は請求項２に記載の遊技機における施錠装置。
【発明の詳細な説明】
【０００１】
【発明の属する技術分野】
本発明は、パチンコ遊技機等の遊技機において、遊技盤が設けられた前枠を外枠に施錠するとともに、ガラス扉を前枠に施錠するための遊技機における施錠装置に関するものである。
【０００２】
【従来の技術】
従来より、遊技機の施錠装置は遊技機の前面枠に固定される基枠体と、基枠体に取り付けられる作動杆及び施錠杆とを備え、この施錠杆の上下端には施錠用鉤が突出形成されている。また、前記基枠体には、鍵によって施錠杆の施錠用鉤をスライド可能とするシリンダ錠が設けられている。この種の施錠装置としては、以下に示すものが知られている（例えば、特許文献１参照）。すなわち、シリンダ錠の軸端には略Ｖ字状をなすカム板が取り付けられ、鍵の回動方向と同一方向にカム板が回動可能になっているタイプのものである。
【０００３】
前記施錠杆には、カム板を回動させた際にカム板の第１突部に係合する第１係合孔が透設され、かつ施錠杆は第１引張りバネを介してその付勢力により基枠体に対して上方に付勢されている。また、前記作動杆には、カム板を回動させた際にカム板の第２突部に係合する第２係合孔が透設され、かつ作動杆は第２引張りバネを介してその付勢力により基枠体に対して下方に付勢されている。
【０００４】
本体枠から前面枠を解錠するには、まず鍵を介してカム板を解錠方向へ回動させ、カム板の第１突部を施錠杆の第１係合孔と係合させる。次いで、鍵を回動させると、施錠杆は第１引張りバネの付勢力に抗して下方にスライドし、前記施錠用鉤と本体枠の受け金具との係合が解除され、前面枠の解錠位置まで摺動する。
【０００５】
一方、遊戯機のリセットに使用される光電スイッチを作動させるには、まず鍵を介してカム板を作動方向へ回動させ、カム板の第２突部を作動杆の第２係合孔と係合させる。次いで、鍵を回動させると、作動杆は第２引張りバネの付勢力に抗して上方にスライドし、光電スイッチの作動位置まで摺動する。
【０００６】
【特許文献１】
特開２０００−２７１３２２号公報（第４頁〜第６頁、図５）
【０００７】
【発明が解決しようとする課題】
ところが、上記従来の遊技機における施錠装置においては、鍵を介してカム板を回動させ、次いで同カム板の各突部を施錠杆の第１係合孔又は作動杆の第２係合孔に係合させることにより施錠杆及び作動杆が作動可能となるため、鍵から施錠杆及び作動杆への動力伝達機構が複雑化するという問題があった。また、カム板の両突部の開口角度、長さ等を考慮して同カム板を設計する必要があり、その設計にも多くの手間がかかるという問題があった。加えて、この設計上の理由により、カム板の第１突部と施錠杆の第１係合孔との係合位置及びカム板の第２突部と作動杆の第２係合孔との係合位置にずれが生じ、施錠杆及び作動杆を作動させる際に必要な鍵の回動力に差が生じる。その結果、鍵を介して施錠杆及び作動杆を作動させる操作において、どちらか一方が他方に比べて操作し難くなるという問題があった。
【０００８】
さらに、前面枠が本体枠に対して施錠状態にあるときに不正行為により施錠杆が押し下げられた際には、前記カム板が容易に回動し、次いで施錠杆が下方にスライドする。その結果、施錠用鉤と本体枠の受け金具との係合が解除され、前面枠が不正に解錠される可能性があるという問題があった。
【０００９】
この発明は、このような従来技術に存在する問題点に着目してなされたものである。その目的とするところは、錠部材から外枠作動体への動力伝達機構の構成の簡素化を図り、外枠作動体を容易に作動させることができるとともに、不正な移動を効果的に防止することができる遊技機における施錠装置を提供することにある。
【００１０】
【課題を解決するための手段】
上記の目的を達成するために、請求項１に記載の発明の遊技機における施錠装置は、外枠と、遊技盤が保持されて外枠の前面に開閉可能に支持される前枠と、前枠の前面に開閉可能に支持されるガラス扉とから構成される遊技機の前記前枠に取着され、前枠を外枠に施錠するとともに、ガラス扉を前枠に施錠する遊技機における施錠装置であって、前枠に固定される支持体には、前枠を外枠に施錠すべく当該外枠に係合する外枠鉤と、該外枠鉤の解錠操作を行う錠部材と、この錠部材による外枠の解錠操作を外枠鉤に伝達する外枠作動体とが設けられ、前記錠部材には解錠操作に伴い回動する第１ピニオンが取り付けられ、前記外枠作動体には、第１ピニオンに噛合する第１ラックが一体形成され、錠部材の外枠の解錠操作により第１ピニオンを回動させることによって、同第１ピニオンと第１ラックとの噛合により外枠作動体を作動させ、外枠鉤と外枠との係合を解除して外枠を解錠させるように構成したことを特徴とするものである。
【００１１】
請求項２に記載の発明の遊技機における施錠装置は、請求項１又は請求項２に記載の発明において、前記第１ピニオンの厚みを第１ラックの厚みよりも大きく形成し、第１ラックからの第１ピニオンの離脱を抑制するように構成したことを特徴とするものである。
【００１２】
請求項３に記載の発明の遊技機における施錠装置は、請求項１又は請求項２に記載の発明において、前記支持体には第２ピニオンを介して外枠鉤が回動可能に軸支されるとともに、外枠作動体には第２ピニオンに噛合する第２ラックが一体形成され、前記錠部材の外枠の解錠操作により前記第１ピニオンを回動させることによって、外枠作動体を作動させるとともに、第２ラックとの噛合により第２ピニオンを回動させ、同第２ピニオンと連動して外枠鉤が外枠との係合の解除方向へ回動することにより外枠を解錠させるように構成したことを特徴とするものである。
【００１３】
【発明の実施の形態】
以下、本発明の実施形態を図面に基づいて詳細に説明する。
図６に示すように遊技機の一種であるパチンコ遊技機１１は、その外郭が縦長四角枠状をなす外枠１２により形成され、この外枠１２の前面には、四角枠状をなす前枠１３が開閉可能に支持されている。この前枠１３には図示しない打球発射装置、球皿等のパチンコゲームを展開可能とする遊技構成部材が搭載できるとともに、前枠１３の内側には遊技盤１４が保持されている。
【００１４】
前枠１３の前面にはガラス扉１５が開閉可能に支持され、パチンコ遊技機１１前面から遊技盤１４が視認可能となっている。さらに、ガラス扉１５の下方には、図示しないパチンコ球を貯留するための上皿を備えた上皿扉１６が開閉可能に支持されている。
【００１５】
図７に示すように、前枠１３の一側には縦長四角状の施錠装置１７が装着され、ガラス扉１５及び上皿扉１６を前枠１３に施錠できるとともに、前枠１３を外枠１２に施錠できるようになっている。なお、以下において上下左右は、パチンコ遊技機１１を前方から見た場合の上下左右を示すものとする。
【００１６】
図１及び図２（ｂ）に示すように、施錠装置１７は、亜鉛メッキ鋼板等の金属板から形成され、上下方向に延びるように形成された支持体１８によって外郭が形成されている。この支持体１８は縦長四角板状の固定板１８ａと、固定板１８ａの左側から背面方向にＬ字状に折り曲げ形成されている側板１８ｂとを備えている。また、固定板１８ａの下部には、下方向に延びる第１掛止フック１８ｃが形成されている。そして、図７に示すように、この施錠装置１７は固定板１８ａの前面が前枠１３の背面の一側に当接され、ビス等の固定部材によって前枠１３に組付されている。
【００１７】
まず、前枠１３の外枠１２に対する施錠機構について詳述する。図１及び図３に示すように、固定板１８ａの上部には上下一対の四角板状のシリンダ錠固定部１９が折り曲げ形成され、該シリンダ錠固定部１９には錠部材としてのシリンダ錠２０が内側から装着されている。また、シリンダ錠２０の錠軸２１には円盤状をなす第１ピニオン２２が軸着されている。そして、シリンダ錠２０の先端側から鍵２３を挿入して解錠操作を行うべく回動させると、第１ピニオン２２は錠軸２１を中心に鍵２３の回動方向と同一方向に回動するようになっている。
【００１８】
図１に示すように、固定板１８ａの上下側にはそれぞれ上部鉤部固定板２４及び下部鉤部固定板２５が背面方向に折り曲げ形成されている。各鉤部固定板２４、２５には、上部外枠鉤２６及び下部外枠鉤２７がそれぞれ第２ピニオンとしての円盤状をなす上部外枠鉤用ピニオン２８及び下部外枠鉤用ピニオン２９を介してリベットでかしめ着けされることにより回動可能に軸支されている。図２（ｂ）に示すように、これら上部及び下部外枠鉤２６、２７は側板１８ｂの背面側へ突出している。
【００１９】
また、図１に示すように、各外枠鉤２６、２７の中央にはそれぞれ係合凹所３０が凹設されている。そして、図７に示すように、各係合凹所３０が外枠１２の外枠係合金具３１にそれぞれ係合されることによって、外枠１２に前枠１３が施錠されるようになっている。
【００２０】
図１及び図２（ａ）に示すように、前記側板１８ｂの略中央部には外枠作動体としての第１外枠作動体３２が取り付けられている。この第１外枠作動体３２の上下端には第１固定脚片３３及び第２固定脚片３４が右方向に延びるように折り曲げ形成され、各固定脚片３３、３４には逆Ｔ字状の第１ガイド孔３３ａ及び第２ガイド孔３４ａが透設されている。そして、各ガイド孔３３ａ、３４ａを通り各リベットが前記固定板１８ａに固定されることにより、第１外枠作動体３２は側板１８ｂの内側に上下動可能に取り付けられている。
【００２１】
第１外枠作動体３２の上端側には側面視横Ｔ字状の第３ガイド孔３２ａが透設され、上端背面には第１ばね掛止片３５が下方向に切り欠き形成されている。また、第１外枠作動体３２の上部背面は前面側へ凹むように形成され、その凹んだ部分には前記第１ピニオン２２と噛合する第１ラック３７が右方向に延びるように折り曲げ形成されている。
【００２２】
図１及び図３に示すように、この第１ラック３７と噛合する第１ピニオン２２は、各固定脚片３３，３４とシリンダ錠２０とで所定の距離を保ち、前記錠軸２１に軸着されている。また、同第１ピニオン２２の厚みは、第１ラック３７の厚みよりも大きく形成されている。このため、第１ピニオン２２が回動時に第１ラック３７から離脱するのが抑制され、第１ピニオン２２と第１ラック３７との噛合状態が維持されるようになっている。
【００２３】
また、図１に示すように、第１外枠作動体３２の下側背面には第１係止片３２ｂが背面側へ延びるように形成されるとともに、下端側には下方向へ延びる第４ガイド孔３２ｃが透設されている。
【００２４】
図１及び図２（ａ）に示すように、第１外枠作動体３２の上側には外枠作動体としての第２外枠作動体３８が装着されている。この第２外枠作動体３８の下端側には、平面視横Ｔ字状の第１規制片３９が左方向に延びるように切り起こし形成されている。そして、この第１規制片３９が第１外枠作動体３２の第３ガイド孔３２ａに挿入されることにより、第２外枠作動体３８と第１外枠作動体３２とが一体でスライドするようになっている。
【００２５】
第２外枠作動体３８の上端には第３固定脚片４０が右方向に延びるように折り曲げ形成され、該第３固定脚片４０には逆Ｔ字状の第５ガイド孔４０ａが透設されている。そして、この第５ガイド孔４０ａからリベットが前記支持体１８の固定板１８ａに固定されることにより、第２外枠作動体３８は側板１８ｂの内側に上下動可能に取り付けられている。
【００２６】
図１に示すように、第２外枠作動体３８の上側背面には第２ばね掛止片４１が上方向に切り欠き形成されている。そして、図３に示すように、第２ばね掛止片４１に第１コイルばね４２の一端が掛止され、その他端が第１外枠作動体３２の第１ばね掛止片３５に掛止されている。このため、第１コイルばね４２の付勢力によって、第１外枠作動体３２は上方に付勢されている。
【００２７】
図１に示すように、第２ばね掛止片４１の下側は前面側へ凹むように形成され、その凹んだ位置には前記上部外枠鉤用ピニオン２８に噛合する第２ラックとしての上部外枠鉤用ラック４３が形成されている。図１及び図３に示すように、この上部外枠鉤用ラック４３と噛合する上部外枠鉤用ピニオン２８は第３固定脚片４０と上部鉤部固定板２４とで所定の距離を保ち、支持体１８に取り付けられている。また、同上部外枠鉤用ピニオン２８の厚みは上部外枠鉤用ラック４３の厚みよりも大きく形成されている。このため、上部外枠鉤用ピニオン２８が回動時に上部外枠鉤用ラック４３から離脱するのが抑制されるようになっている。
【００２８】
そして、図４（ａ）及び（ｂ）に示すように、第２外枠作動体３８が上方へスライドする際には、上部外枠鉤用ラック４３に上部外枠鉤用ピニオン２８が噛合されながら回動し、これに伴って上部外枠鉤用ピニオン２８と上部外枠鉤２６とが一体で回動するようになっている。
【００２９】
図１及び図２（ａ）に示すように、前記第１外枠作動体３２の下端部には、外枠作動体としての第３外枠作動体４４が取り付けられている。この第３外枠作動体４４の上端側には、平面視横Ｔ字状の第２規制片４５が左方向に延びるように切り起こし形成されている。そして、この第２規制片４５が第１外枠作動体３２の第４ガイド孔３２ｃの下端部に挿入されることにより、第１外枠作動体３２と第３外枠作動体４４とが一体でスライドするようになっている。
【００３０】
第３外枠作動体４４の下端側前面には第４固定脚片４６が右方向に延びるように折り曲げ形成され、該第４固定脚片４６には逆Ｔ字状の第６ガイド孔４６ａが透設されている。そして、第６ガイド孔４６ａからリベットが前記支持体１８の固定板１８ａに固定されることにより、第３外枠作動体４４は側板１８ｂの内側に上下動可能に取り付けられている。
【００３１】
図１に示すように、第３外枠作動体４４の略中央部には、上方向に延びる第２掛止フック４７が形成されている。そして、図１及び図２（ａ）に示すように、前記第１掛止フック１８ｃに第２コイルばね４８の一端が掛止され、他端が第２掛止フック４７に掛止されている。このため、第２コイルばね４８の付勢力によって、第３外枠作動体４４は下方に付勢されている。
【００３２】
また、前記第２掛止フック４７の下側は前面側へ凹むように形成され、その凹んだ位置には前記下部外枠鉤用ピニオン２９に噛合する第２ラックとしての下部外枠鉤用ラック５０が形成されている。この下部外枠鉤用ラック５０と噛合する前記下部外枠鉤用ピニオン２９は第４固定脚片４６と下部鉤部固定板２５とで所定の距離を保ち、支持体１８に取り付けられている。また、同下部外枠鉤用ピニオン２９の厚みは下部外枠鉤用ラック５０の厚みよりも大きく形成されている。このため、下部外枠鉤用ピニオン２９が回動時に下部外枠鉤用ラック５０から離脱するのが抑制されるようになっている。
【００３３】
そして、第３外枠作動体４４が上方へスライドする際には、下部外枠鉤用ラック５０に下部外枠鉤用ピニオン２９が噛合されながら回動し、これに伴って下部外枠鉤用ピニオン２９と下部外枠鉤２７とが一体で回動するようになっている。
【００３４】
続いて、ガラス扉１５の前枠１３に対する施錠機構について説明する。図１及び図２（ａ）に示すように、側板１８ｂの内側には長四角板状のガラス扉作動体５１が上下動可能に設けられ、その上下端側には平面視逆Ｌ字状の第７ガイド孔５１ａ及び第８ガイド孔５１ｂが透設されている。一方、側板１８ｂの内側には第７ガイド孔５１ａ及び第８ガイド孔５１ｂに対応して平面視横Ｔ字状の第３規制片５２及び第４規制片５３が右方向に延びるように切り起こし形成されている。そして、ガラス扉作動体５１は、両ガイド孔５１ａ、５１ｂに各規制片５２、５３を嵌挿するとともに、左側面を側板１８ｂの内側面に当接させることによって上下動可能に取着されている。
【００３５】
図１、図２（ａ）に示すように、ガラス扉作動体５１の上下端には、側面Ｕ字状の上部ガラス扉鉤部５４及び下部ガラス扉鉤部５５が設けられ、各ガラス扉鉤部５４、５５の中央には係合凹溝５６がそれぞれ凹設されている。これらの係合凹溝５６はガラス扉１５に設けられた図示しないガラス扉係合金具に係脱することによって、前枠１３に対してガラス扉１５を施錠及び解錠することができるようになっている。また、ガラス扉作動体５１の中央部の背面側の縁部には、ガラス扉作動体５１の内方へ向かって斜めに延びる係合溝５１ｃが形成されている。
【００３６】
図１及び図２（ａ）に示すように、ガラス扉作動体５１の下端部には、側面略逆Ｌ字状のロック体５９がリベットによりかしめ着けられることによってその部分を中心に回動可能に軸支されている。また、ロック体５９の上端背面には、第４ばね掛止片５９ａが下方向に切り欠き形成されている。そして、第４ばね掛止片５９ａに第３コイルばね６０の一端が掛止され、その他端が前記第３ばね掛止片５８ｂに掛止されている。このため、第３コイルばね６０の付勢力によって、ロック体５９は上方に付勢されている。
【００３７】
図１に示すように、第４ばね掛止片５９ａの下側には、第２係止片５９ｂが右方向に延出形成されている。そして、図５（ｂ）に示すように、この第２係止片５９ｂは、前記シリンダ錠２０のガラス扉１５の解錠操作により、第１外枠作動体３２の第１係止片３２ｂと係合するようになっている。また、図１に示すように、ロック体５９の下端側には第３係止片５９ｃが下方向に突設されている。
【００３８】
一方、側板１８ｂに設けられた第４規制片５３の下側背面には第４係止片６１が右方向に延びるように切り起こし形成されている。そして、図２（ａ）に示すように、ロック体５９の下端背面と第４係止片６１とが当接することにより、ロック体５９は側板１８ｂの内側に支持されている。
【００３９】
前記側板１８ｂの略中央には側面視略Ｌ字状の規制部材５８が配設され、図１及び図５（ｂ）に示すように、この規制部材５８は分岐した一端部がリベットで側板１８ｂにかしめ着けされることによって回動可能に軸支されている。また、分岐した他端部には細長板状の解除片５８ａが右方向に延びるように折り曲げ形成されている。そして、図２（ｂ）に示すように、この解除片５８ａは固定板１８ａを貫通して前方に突出するように設けられている。図２（ａ）及び図５（ａ）に示すように、解除片５８ａの基端部はガラス扉作動体５１のスライドに伴い、規制部材５８が回動することによって前記係合溝５１ｃに係脱可能となっている。また、図１に示すように、規制部材５８の背面側には第３ばね掛止片５８ｂが右方向に延出形成されている。
【００４０】
図５（ａ）に示すように、規制部材５８の解除片５８ａの基端部がガラス扉作動体５１の係合溝５１ｃから離脱し、かつロック体５９の第３係止片５９ｃと支持体１８の第４係止片６１とが係合した状態が、ガラス扉１５に対する施錠装置１７の施錠状態である。一方、図２（ａ）に示すように、規制部材５８の解除片５８ａの基端部がガラス扉作動体５１の係合溝５１ｃに係合した状態が、ガラス扉１５に対する施錠装置１７の解錠状態である。
【００４１】
図１及び図２（ａ）に示すように、側板１８ｂの下端左側面には、略三角板状の上部上皿扉鉤部６２及び下部上皿扉鉤部６３がリベットでかしめ着けされることによって回動可能に軸支されるとともに、各上皿扉鉤部６２、６３の基端には長四角形状の上皿扉作動体６４の上下端がそれぞれ軸支されている。そして、図６に示すように、各上皿扉鉤部６２、６３が上皿扉１６の上皿扉係合金具６５にそれぞれ係合されることによって、上皿扉１６が前枠１３に施錠されるようになっている。
【００４２】
次に、前記施錠装置１７の作用について以下に記載する。
さて、図４（ａ）に示すように、各外枠鉤２６、２７の係合凹所３０が外枠係合金具３１に係合し、前枠１３が外枠１２に施錠されている状態から前枠１３を解錠するには、まずシリンダ錠２０に鍵２３を差し込み、前方から見て時計方向に回動させる。すると、図４（ｂ）に示すように、第１ピニオン２２は第１外枠作動体３２の第１ラック３７に噛合しながら鍵２３の回動方向と同一方向、つまり時計方向に回動する。そして、第１ラック３７が第１ピニオン２２の回動により押し上げられ、同第１ラック３７を介して第１外枠作動体３２が第２コイルばね４８の付勢力に抗して上方へスライドする。
【００４３】
このとき、第２外枠作動体３８の上部外枠鉤用ラック４３及び第３外枠作動体４４の下部外枠鉤用ラック５０がそれぞれ上部外枠鉤用ピニオン２８及び下部外枠鉤用ピニオン２９に噛合しながら上方へスライドする。このため、各外枠鉤用ピニオン２８、２９が右側方から見て時計方向に回動し、各外枠鉤２６、２７は先端が下がる方向に回動する。これに伴って、各外枠鉤２６、２７の係合凹所３０と外枠係合金具３１との係合が解除され、外枠１２から前枠１３が解錠される。
【００４４】
ここで、パチンコ遊技機１１の周囲に存在する隙間から針金等を用いた不正行為によって第１外枠作動体３２、第２外枠作動体３８及び第３外枠作動体４４のいずれかを押し上げようとしても、第１ピニオン２２と第１ラック３７との噛合により、第１ピニオン２２は容易には回動しない。このため、第１ピニオン２２の回動が規制され、これに伴い各外枠作動体３２、３８、４４の移動が防止される。加えて、各外枠鉤用ピニオン２８、２９と各外枠鉤用ラック４３、５０との噛合により各外枠鉤用ピニオン２８、２９の回動も効果的に規制され、各外枠鉤２６、２７の回動が防止される。
【００４５】
次に、図５（ａ）に示すように、各ガラス扉鉤部５４、５５がガラス扉係合金具（図示せず）に係合し、ガラス扉１５が前枠１３に施錠されている状態からガラス扉１５を解錠するには、まず鍵２３を前方から見て反時計方向に回動させる。すると、図５（ｂ）に示すように、第１ピニオン２２は第１ラック３７に噛合した状態で鍵２３の回動方向と同一方向、つまり反時計方向に回動する。そして、第１ラック３７が第１ピニオン２２の回動により押し下げられ、同第１ラック３７を介して第１外枠作動体３２が第１コイルばね４２の付勢力に抗して下方へスライドする。
【００４６】
これに伴って、第１外枠作動体３２の第１係止片３２ｂがロック体５９の第２係止片５９ｂに係止し、第３コイルばね６０の付勢力に抗してロック体５９を押し下げる。すると、ガラス扉作動体５１がロック体５９と一体で下方へスライドする。そして、係合溝５１ｃが解除片５８ａの基端に近づき、さらに、伸張された第３コイルばね６０により規制部材５８が前面側へ引っ張られ、解除片５８ａが前方へ突出する方向へ回動する。このとき、解除片５８ａの基端が係合溝５１ｃに係合し、ガラス扉作動体５１の上下移動が規制されて、図２（ａ）に示すようなガラス扉１５に対する施錠装置１７の解錠状態が維持される。
【００４７】
ここで、ガラス扉作動体５１を不正に操作して押し下げようとしても第１ピニオン２２と第１ラック３７との噛合により、第１外枠作動体３２の移動が抑制されているため、これに伴ってガラス扉作動体５１の移動も防止される。
【００４８】
前記の実施形態によって発揮される効果について、以下に記載する。
・  実施形態の施錠装置１７は、シリンダ錠２０の基端の錠軸２１に第１ピニオン２２が取り付けられ、同第１ピニオン２２に噛合する第１ラック３７が第１外枠作動体３２に一体形成されている。このため、シリンダ錠２０に差し込まれた鍵２３で第１ピニオン２２を回動させるというワンタッチ操作により、第１ラック３７を介して第１外枠作動体３２が上下方向へスライドし、外枠１２から前枠１３が解錠される。従って、シリンダ錠２０から第１外枠作動体３２への動力伝達機構の構成の簡素化を図るとともに、第１外枠作動体３２を容易に作動させることができる。
【００４９】
また、不正行為によって各外枠作動体３２、３８、４４を移動させようとしても、第１ピニオン２２と第１ラック３７との噛合により、第１ピニオン２２の回動が規制され、第１外枠作動体３２の移動が抑制される。このため、第１外枠作動体３２の移動を効果的に防止することができる。そして、これに伴いガラス扉作動体５１の移動も防止することができる。
【００５０】
・  また、第１ピニオン２２の厚みは第１ラック３７の厚みよりも大きく形成されている。このため、第１ピニオン２２が回動する際には、第１ラック３７からの第１ピニオン２２の離脱が抑制される。従って、第１ラック３７と第１ピニオン２２との噛合状態を効果的に維持し、第１外枠作動体３２を確実に作動させることができる。
【００５１】
・  さらに、上部外枠鉤２６は上部外枠鉤用ピニオン２８を、下部外枠鉤２７は下部外枠鉤用ピニオン２９を介して支持体１８に回動可能に軸支されている。また、第２外枠作動体３８及び第３外枠作動体４４には、上部外枠鉤用ピニオン２８に噛合する上部外枠鉤用ラック４３及び下部外枠鉤用ピニオン２９に噛合する下部外枠鉤用ラック５０がそれぞれ一体形成されている。このため、鍵２３を介して３つの外枠作動体３２、３８、４４を一体で上下動させる際には、各外枠鉤用ラック４３、５０の移動に伴って各外枠鉤用ピニオン２８、２９が回動し、両外枠鉤２６、２７が確実に回動する。従って、鍵２３により第１ピニオン２２を回動させることにより、各外枠作動体３２、３８、４４から両外枠鉤２６、２７への動力伝達を確実に行うことができる。
【００５２】
さらに、各外枠作動体３２、３８、４４を不正に移動させようとする場合には、各外枠鉤用ラック４３、５０との噛合により各外枠鉤用ピニオン２８、２９の回動が規制され、これに伴う両外枠鉤２６、２７の不正な回動を効果的に防止することができる。
【００５３】
・  上部外枠鉤用ピニオン２８及び下部外枠鉤用ピニオン２９の厚みは上部外枠鉤用ラック４３及び下部外枠鉤用ラック５０の厚みよりもそれぞれ大きく形成されている。このため、各外枠鉤用ラック４３、５０のスライドにより両外枠鉤用ピニオン２８、２９が回動する際には、各外枠鉤用ラック４３、５０からの両外枠鉤用ピニオン２８、２９の離脱が抑制される。従って、各外枠鉤用ラック４３、５０と両外枠鉤用ピニオン２８、２９との噛合状態を効果的に維持し、両外枠鉤２６、２７を確実に回動させることができる。
【００５４】
なお、本実施形態は、次のように変更して具体化することも可能である。
・  実施形態では外枠作動体を第１外枠作動体３２、第２外枠作動体３８及び第３外枠作動体４４の３つの部材から構成したが、これを２つ又は１つの部材からなる構成を採用してもよい。すなわち、外枠作動体を２つの部材から構成する場合、一方の外枠作動体には第１ピニオン２２に噛合する第１ラック３７と、上部外枠鉤用ピニオン２８又は下部外枠鉤用ピニオン２９に噛合するラックとが一体形成される。また、他方の外枠作動体には、同様に、上部外枠鉤用ピニオン２８又は下部外枠鉤用ピニオン２９に噛合するラックが一体形成される。
【００５５】
さらに、外枠作動体を１つの部材から構成する場合、外枠作動体の略中央部には前記第１ピニオン２２に噛合する第１ラック３７が、上下両端にはそれぞれ上部外枠鉤用ピニオン２８及び下部外枠鉤用ピニオン２９に噛合する上部外枠鉤用ラック４３及び下部外枠鉤用ラック５０が一体形成される。このように構成した場合、部品点数を減らすことができるとともに、シリンダ錠２０から各外枠鉤２６、２７への動力伝達をより容易に行うことができる。
【００５６】
・  各ピニオン２２、２８、２９の形状を扇状に形成してもよい。
・  各ピニオン２２、２８、２９を形成する材料として、ポリアセタール樹脂、ナイロン樹脂等の合成樹脂を用いてもよい。
【００５７】
さらに、前記実施形態より把握できる技術的思想について以下に記載する。
・  前記第２ピニオンの厚みを第２ラックの厚みよりも大きく形成し、第２ラックからの第２ピニオンの離脱を規制するように構成した請求項３に記載の遊技機における施錠装置。このように構成した場合、第２ラックと第２ピニオンとの噛合状態を効果的に維持し、両外枠鉤を確実に回動させることができる。
【００５８】
・  前記外枠作動体は複数の部材が連結して構成されていることを特徴とする請求項１から請求項３のいずれか一項に記載の遊技機における施錠装置。このように構成した場合、外枠作動体の不正な移動をより効果的に防止することができる。
【００５９】
【発明の効果】
以上詳述したように、この発明によれば、次のような効果を奏する。
請求項１に記載の発明の遊技機における施錠装置によれば、錠部材から外枠作動体への動力伝達機構の構成の簡素化を図り、外枠作動体を容易に作動させることができるとともに、不正な移動を効果的に防止することができる。
【００６０】
請求項２に記載の発明の遊技機における施錠装置によれば、請求項１に記載の発明の効果に加えて、第１ラックと第１ピニオンとの噛合状態を効果的に維持し、外枠作動体を確実に作動させることができる。
【００６１】
請求項３に記載の発明の遊技機における施錠装置によれば、請求項１又は請求項２に記載の発明の効果に加えて、外枠作動体から外枠鉤への動力伝達を確実に行うことができるとともに、外枠鉤の不正な回動を効果的に防止することができる。
【図面の簡単な説明】
【図１】実施形態の施錠装置を示す分解斜視図。
【図２】（ａ）は施錠装置を示す右側面図、（ｂ）は施錠装置を示す左側面図。
【図３】施錠装置の要部を示す部分拡大斜視図。
【図４】（ａ）は外枠と前枠とが施錠されたときの施錠装置を示す部分側面図、（ｂ）は前枠の外枠からの解錠状態の施錠装置を示す部分側面図。
【図５】（ａ）はガラス扉の前枠に対する施錠状態を示す部分側面図、（ｂ）はガラス扉の前枠に対する解錠の直前状態を示す部分側面図。
【図６】ガラス扉及び上皿扉が解錠された前枠を示す斜視図。
【図７】前枠が解錠されたパチンコ遊技機を示す斜視図。
【符号の説明】
１２…外枠、１３…前枠、１４…遊技盤、１５…ガラス扉、１７…施錠装置、１８…支持体、２０…錠部材としてのシリンダ錠、２２…第１ピニオン、２６…外枠鉤としての上部外枠鉤、２７…外枠鉤としての下部外枠鉤、２８…第２ピニオンとしての上部外枠鉤用ピニオン、２９…第２ピニオンとしての下部外枠鉤用ピニオン、３２…外枠作動体としての第１外枠作動体、３７…第１ラック、３８…外枠作動体としての第２外枠作動体、４３…第２ラックとしての上部外枠鉤用ラック、４４…外枠作動体としての第３外枠作動体、５０…第２ラックとしての下部外枠鉤用ラック。
【図１】
2004222995.tif 000003
【図２】
2004222995.tif 000004
【図３】
2004222995.tif 000005
【図４】
2004222995.tif 000006
【図５】
2004222995.tif 000007
【図６】
2004222995.tif 000008
【図７】
2004222995.tif 000009